(57)【要約】【課題】利用者の負荷を抑制しながら自然な音声変化を実現する。【解決手段】指標算定部２６は、音声変化（例えば音素の脱落）の発生しやすさの指標である音声変化指標を、合成情報Ｓが指定する合成対象音声の音素について算定する。情報管理部３２は合成情報Ｓを管理する。具体的には、情報管理部３２は、合成対象音声の音素について音声変化を発生させるか否かを当該音素の音声変化指標に応じて判定し、音声変化を発生させると判定した音素について音声変化の発生を合成情報Ｓに設定する一方、音声変化を発生させないと判定した音素については音声変化の発生を合成情報Ｓに設定しない。【選択図】図１
2015079065.tif 000002
【特許請求の範囲】
【請求項１】
合成対象音声の発音内容を指定する合成情報を管理する装置であって、
音声変化の発生しやすさの指標である音声変化指標を前記合成対象音声の音素について算定する指標算定手段と、
前記合成対象音声の音素について音声変化を発生させるか否かを当該音素の音声変化指標に応じて判定し、音声変化を発生させると判定した音素について音声変化の発生を前記合成情報に設定する一方、音声変化を発生させないと判定した音素については音声変化の発生を前記合成情報に設定しない情報管理手段と
を具備する合成情報管理装置。
【請求項２】
前記指標算定手段は、音声変化の発生しやすさの指標である基礎指標を２個の音素の組合せ毎に指定する参照情報から、前記合成対象音声の２個の音素の組合せに対応する基礎指標を特定し、当該基礎指標に応じて前記音声変化指標を算定する
請求項１の合成情報管理装置。
【請求項３】
前記合成情報は、前記合成対象音声の音声単位毎に音高と継続長と発音内容とを指定し、
前記指標算定手段は、前記合成対象音声の音素の継続長および音高に応じて前記音声変化指標を算定する
請求項１または請求項２の合成情報管理装置。
【請求項４】
利用者からの指示を受付ける指示受付手段を具備し、
前記情報管理手段は、前記合成対象音声の音素について前記指標算定手段が算定した音声変化指標と、前記指示受付部が利用者から受付けた指示に応じて設定された閾値との大小に応じて、当該音素の音声変化を発生させるか否かを判定する
請求項１から請求項３の何れかの合成情報管理装置。
【請求項５】
合成情報が発音内容を指定する合成対象音声の音声信号を生成する装置であって、
音声変化の発生しやすさの指標である音声変化指標を前記合成対象音声の音素について算定する指標算定手段と、
前記合成情報に応じた音声信号を生成する手段であって、前記合成対象音声の音素について音声変化を発生させるか否かを当該音素の音声変化指標に応じて判定し、音声変化を発生させると判定した音素について音声変化を発生させた前記音声信号を生成する一方、音声変化を発生させないと判定した音素については音声変化を発生させない前記音声信号を生成する音声合成手段と
を具備する音声合成装置。
【発明の詳細な説明】
【技術分野】
【０００１】
本発明は、音声を合成する技術に関する。
【背景技術】
【０００２】
複数の音素を連続して発音する場合、前後の音素の影響で各音素が変化する現象（以下「音声変化」という）が発生する。特定の音素の発音が省略される脱落（消失）や、各音素が前後の音素と類似する音素に変化する同化が音声変化の典型例である。例えば“out”（[aU][t]）と“door”([dh][O@])とが連続する“out door”を発音した場合、“out”の末尾の音素[t]が脱落して[aU][dh][O@]と発音される。なお、以上の例示の通り、本願明細書では、X-SAMPA（eXtrended - Speech Assessment Methods Phonetic Alphabet）に準拠した形式で各音素の音素記号を表記する。
【０００３】
他方、任意の文字列を発音した音声を生成する音声合成技術が従来から提案されている。聴感的に自然な音声を合成するには、現実の発音時に発生する前述の音声変化を再現することが重要である。以上の事情を背景として、特許文献１には、複数の音素の時系列のうち音変化規則辞書に事前に規定された条件を充足する音素を省略または変更することで、脱落や同化等の音声変化が再現された音声を合成する技術が開示されている。
【先行技術文献】
【特許文献】
【０００４】
【特許文献１】特開２０１１−１７５０７４号公報
【発明の概要】
【発明が解決しようとする課題】
【０００５】
しかし、特許文献１の技術のもとでは、音変化規則辞書に規定された条件を充足する音素については一律に音声変化が付与され、条件を充足しない音素については一律に音声変化が付与されない。したがって、実際の発音の傾向に合致しない不自然な音声変化が付与される可能性がある。例えば、複数の音素を短い間隔で素早く発音した場合には音声変化は発生しやすいが、複数の音素を遅く発音した場合や充分な間隔をあけて発音した場合には音声変化は発生しにくいという傾向がある。しかし、特許文献１の技術では、音変化規則辞書に合致する場合には各音素の発音の速度や間隔とは無関係に音声変化が付与される。
【０００６】
利用者が音素毎に音声変化の有無を指示する構成も想定され得るが、実際に音声変化を付与すべき音素を適切に決定するためには音声変化に関する専門的な知識が必要であり、また、音素毎に音声変化の有無を指示する作業の負荷が過大であるという問題もある。以上の事情を考慮して、本発明は、利用者の負荷を抑制しながら自然な音声変化を実現することを目的とする。
【課題を解決するための手段】
【０００７】
本発明の第１態様に係る合成情報管理装置は、合成対象音声の発音内容を指定する合成情報を管理する装置であって、音声変化の発生しやすさの指標である音声変化指標を合成対象音声の音素について算定する指標算定手段と、合成対象音声の音素について音声変化を発生させるか否かを当該音素の音声変化指標に応じて判定し、音声変化を発生させると判定した音素について音声変化の発生を合成情報に設定する一方、音声変化を発生させないと判定した音素については音声変化の発生を合成情報に設定しない情報管理手段とを具備する。以上の構成では、合成情報が指定する合成対象音声の音素について音声変化指標が算定され、当該音素の音素変化の有無が音声変化指標に応じて制御される。したがって、各音素が所定の条件に該当するか否かのみに応じて音声変化の有無が一律に決定される特許文献１の技術と比較すると、例えば音素毎に音声変化の有無を指示する作業等による利用者の負荷を抑制しながら、現実の発音の傾向に合致した自然な音声変化を実現することが可能である。
【０００８】
本発明の第２態様に係る音声合成装置は、合成情報が発音内容を指定する合成対象音声の音声信号を生成する装置であって、音声変化の発生しやすさの指標である音声変化指標を合成対象音声の音素について算定する指標算定手段と、合成情報に応じた音声信号を生成する手段であって、合成対象音声の音素について音声変化を発生させるか否かを当該音素の音声変化指標に応じて判定し、音声変化を発生させると判定した音素について音声変化を発生させた音声信号を生成する一方、音声変化を発生させないと判定した音素については音声変化を発生させない音声信号を生成する音声合成手段とを具備する。以上の構成では、合成情報が指定する合成対象音声の音素について音声変化指標が算定され、当該音素の音素変化の有無が音声変化指標に応じて制御される。したがって、第１態様と同様に、例えば音素毎に音声変化の有無を指示する作業等による利用者の負荷を抑制しながら、現実の発音の傾向に合致した自然な音声変化を実現することが可能である。なお、第２態様の具体例は、例えば第３実施形態として後述される。
【０００９】
本発明の第１態様および第２態様の好適例において、指標算定手段は、音声変化の発生しやすさの指標である基礎指標を２個の音素の組合せ毎に指定する参照情報から、合成対象音声の２個の音素の組合せに対応する基礎指標を特定し、当該基礎指標に応じて音声変化指標を算定する。以上の態様では、基礎指標を２個の音素の組合せ毎に指定する参照情報から、合成対象音声の２個の音素の組合せに対応する基礎指標が特定されて音声変化指標の算定に適用されるから、２個の音素の組合せに応じて音声変化の発生しやすさが相違する（音声変化が発生しやすい音素の組合せと音声変化が発生しにくい音素の組合せとが存在する）という傾向を反映した自然な音声変化を実現することが可能である。
【００１０】
本発明の第１態様および第２態様の好適例において、合成情報は、合成対象音声の音声単位毎に継続長と発音内容とを指定し、指標算定手段は、合成対象音声の音素の継続長に応じて音声変化指標を算定する。以上の態様では、音声単位の継続長に応じて音声変化指標が算定されるから、複数の音素が素早く発音された場合に音声変化が発生しやすいという現実の発音の傾向を再現することが可能である。
【００１１】
本発明の第１態様および第２態様の好適例において、合成情報は、合成対象音声の音声単位毎に音高と発音内容とを指定し、指標算定手段は、合成対象音声の音素の音高に応じて音声変化指標を算定する。以上の態様では、音声単位の音高に応じて音声変化指標が算定されるから、音声の音高が高いほど音声変化が発生しやすいという傾向を反映した自然な音声変化を実現することが可能である。
【００１２】
本発明の第１態様および第２態様の好適例において、合成情報は、合成対象音声の音楽的な表情を表す制御情報を含み、指標算定手段は、合成対象音声の音素の制御情報に応じて音声変化指標を算定する。以上の態様では、合成対象音声の音楽的な表情を表す制御情報に応じて音声変化指標が算定されるから、合成対象音声の音楽的な表情に適合した自然な音声変化を付与することが可能である。なお、以上の態様の具体例は、例えば第４実施形態として後述される。
【００１３】
本発明の第１態様および第２態様の好適例は、利用者からの指示を受付ける指示受付手段を具備し、情報管理手段は、合成対象音声の音素について指標算定手段が算定した音声変化指標と、指示受付部が利用者から受付けた指示に応じて設定された閾値との大小に応じて、当該音素の音声変化を発生させるか否かを判定する。以上の態様では、音声変化の有無の判定のために音声変化指標と比較される閾値が利用者からの指示に応じて設定されるから、利用者の意図や嗜好に適合した音声変化を実現することが可能である。なお、以上の態様の具体例は、例えば第２実施形態として後述される。
【００１４】
以上の各態様に係る合成情報管理装置および音声合成装置は、合成情報の編集や音声信号の生成に専用されるDSP（Digital Signal Processor）等のハードウェア（電子回路）によって実現されるほか、CPU（Central Processing Unit）等の汎用の演算処理装置とプログラムとの協働によっても実現される。本発明のプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。また、例えば、本発明のプログラムは、通信網を介した配信の形態で提供されてコンピュータにインストールされ得る。また、本発明は、以上に説明した各態様に係る合成情報管理装置の動作方法（合成情報管理方法）や音声合成装置の動作方法（音声合成方法）としても特定される。
【図面の簡単な説明】
【００１５】
【図１】本発明の第１実施形態に係る音声合成装置のブロック図である。
【図２】合成情報の模式図である。
【図３】参照情報の模式図である。
【図４】編集画像の模式図である。
【図５】音声合成装置の動作のフローチャートである。
【図６】編集処理のフローチャートである。
【図７】音声変化設定処理のフローチャートである。
【図８】音声変化指標の算定の具体例である。
【図９】音声変化指標に応じた楽譜画像の変化の説明図である。
【図１０】第２実施形態における編集画像の模式図である。
【図１１】第３実施形態における音声合成処理のフローチャートである。
【図１２】第４実施形態における合成情報の模式図である。
【発明を実施するための形態】
【００１６】
＜第１実施形態＞
図１は、本発明の第１実施形態に係る音声合成装置１００の構成図である。第１実施形態の音声合成装置１００は、複数の音声素片を連結する素片接続型の音声合成で任意の楽曲（以下「合成楽曲」という）の歌唱音声の音声信号Ｖを生成する信号処理装置である。複数の音素が連続的に発音される場合に前後の音素の影響で各音素が変化する現象（音声変化）を再現した音声信号Ｖが生成される。第１実施形態では、同化や連結等を包含する種々の音声変化のうち、特定の音素の発音が省略される脱落を再現した音声信号Ｖの生成を例示する。
【００１７】
図１に例示される通り、音声合成装置１００は、演算処理装置１０と記憶装置１２と表示装置１４と入力装置１６と放音装置１８とを具備するコンピュータシステム（例えば携帯電話機やパーソナルコンピュータ等の情報処理装置）で実現される。表示装置１４（例えば液晶表示パネル）は、演算処理装置１０から指示された画像を表示する。入力装置１６は、音声合成装置１００に対する各種の指示のために利用者が操作する操作機器（例えばマウス等のポインティングデバイスやキーボード）であり、例えば利用者が操作する複数の操作子を含んで構成される。なお、表示装置１４と一体に構成されたタッチパネルを入力装置１６として採用することも可能である。放音装置１８（例えばスピーカやヘッドホン）は、音声信号Ｖに応じた音響を再生する。
【００１８】
記憶装置１２は、演算処理装置１０が実行するプログラムや演算処理装置１０が使用する各種のデータを記憶する。半導体記録媒体や磁気記録媒体等の公知の記録媒体または複数種の記録媒体の組合せが記憶装置１２として任意に採用される。第１実施形態の記憶装置１２は、以下に例示する通り、音声素片群Ｌと合成情報Ｓと参照情報Ｒとを記憶する。
【００１９】
音声素片群Ｌは、特定の発声者の収録音声から事前に採取された複数の音声素片の集合（音声ライブラリ）である。各音声素片は、言語的な意味の区別の最小単位である音素単体（例えば母音や子音）、または、複数の音素を連結した音素連鎖である。ただし、第１実施形態では、相前後する２個の音素を連結した音素連鎖（ダイフォン）を音声素片として例示する。各音声素片は、時間領域での音声波形のサンプル系列や、音声波形のフレーム毎に算定された周波数領域のスペクトルの時系列として表現される。なお、以下の説明では、無音を便宜的に１個の音素と位置付けて記号“Sil”で表記する。
【００２０】
合成情報Ｓは、音声合成の対象となる音声（以下「合成対象音声」という）を指定する。第１実施形態の合成情報Ｓは、合成楽曲の歌唱音声を合成対象音声として指定する時系列データであり、図２に例示される通り、合成対象音声の音声単位毎（音符毎）に音高Ｘ1と発音期間Ｘ2と発音内容Ｘ3とを指定する。音声単位は、合成楽曲の１個の音符に割当てられる音声の単位（音節やモーラ等の分節単位）である。
【００２１】
音高Ｘ1は、合成楽曲の各音符の音高であり、例えばMIDI（Musical Instrument Digital Interface）規格に準拠したノートナンバーで指定される。発音期間Ｘ2は、音符の時間長（音価）であり、例えば発音の開始時刻Ｔ1と継続長（時間長）Ｔ2とで規定される。第１実施形態の継続長Ｔ2は、４分音符を基準値（Ｔ2＝120）とした場合のテンポ（BPM：Beats Per Minute）の数値で表現される。例えば、８分音符に相当する継続長Ｔ2は240に設定され、２分音符に相当する継続長Ｔ2は60に設定される。すなわち、発音期間Ｘ2の時間長が長いほど継続長Ｔ2は小さい数値に設定される。なお、発音期間Ｘ2を発音の開始時刻Ｔ1と終了時刻とで規定する構成（両時刻間の時間長に応じて継続長Ｔ2が算定され得る構成）も好適である。発音内容Ｘ3は、合成対象音声による発音の内容であり、音声単位を表象する音声符号（発音文字）ＹAと、当該音声単位を構成する各音素の音素記号ＹBとを含んで構成される。音声符号ＹAは、合成楽曲の歌詞を構成する文字（書記素）に相当する。以上の説明から理解される通り、合成情報Ｓは、合成楽曲の楽譜を指定するデータとも換言され得る。
【００２２】
参照情報Ｒは、合成対象音声における音声変化（音素の脱落）の有無の判断に利用されるデータであり、図３に例示される通り、相前後する２個の音素の配列（以下「音素対」という）毎に変換前パターンＱAと変換後パターンＱBと基礎指標Ｂとを指定する。すなわち、参照情報Ｒは、変換前パターンＱAと変換後パターンＱBと基礎指標Ｂとを音素対毎に相互に対応付けるデータテーブルとも換言され得る。第１実施形態の参照情報Ｒは、任意の２個の音素の組合せのうち合成対象音声の言語のもとで音声変化（脱落）が発生し得る音素対について変換前パターンＱAと変換後パターンＱBと基礎指標Ｂと指定する。
【００２３】
変換前パターンＱAは、音声変化の発生前の音素対を指定し、変換後パターンＱBは、音声変化の発生後（すなわち、変換前パターンＱAが指定する音素対に音声変化を発生させた場合）の音素対を指定する。例えば、“out”（[aU][t]）と“door”([dh][O@])とが連続する“out door”を発音した場合には、“out”の末尾の音素[t]に音声変化（脱落）が発生して[aU][dh][O@]と発音され得る。したがって、図３に例示される通り、“out”の末尾の音素[t]と“door”の先頭の音素[dh]とを配列した音素対[t-dh]が変換前パターンＱAとして指定され、音素対[t-dh]のうち音素[t]を無音の音素[Sil]に変換した音素対[Sil-dh]が変換後パターンＱBとして指定される。同様に、例えば“keep talk”（[kh][i:][p][th][o:][k]）に包含される音素対[p-th]の変換前パターンＱAには、音素[p]を無音の音素[Sil]に変換した音素対[Sil-th]の変換後パターンＱBが対応し、例えば“pick part”（[ph][I][k][ph][Q@][t]）に包含される音素対[k-ph]の変換前パターンＱAには、音素[k]を無音の音素[Sil]に変換した音素対[Sil-ph]の変換後パターンＱBが対応する。
【００２４】
図３の基礎指標Ｂは、変換前パターンＱAから変換後パターンＱBへの音声変化の発生しやすさの指標である。第１実施形態では、音声変化が発生しやすい音素対（変換前パターンＱA）の基礎指標Ｂほど大きい数値に設定される。各基礎指標Ｂは、事前に収録された多数の収録音声（資料）から音声変化の傾向等を調査することで実験的または統計的に設定される。例えば、音素対[t-dh]の音素[t]は、音素対[k-ph]の音素[k]と比較して脱落が発生しやすく、音素対[k-ph]の音素[k]は、音素対[p-th]の音素[p]と比較して脱落が発生しやすいという傾向がある。以上の傾向を考慮して、図３の例示では、音素対[t-dh]の基礎指標Ｂは音素対[k-ph]の基礎指標Ｂを上回り、音素対[k-ph]の基礎指標Ｂは音素対[p-th]の基礎指標Ｂを上回る。
【００２５】
図１の演算処理装置１０（CPU）は、記憶装置１２に格納されたプログラムを実行することで、合成情報Ｓの編集や音声信号Ｖの生成のための複数の機能（指示受付部２２，表示制御部２４，指標算定部２６，情報管理部３２，音声合成部３４）を実現する。なお、演算処理装置１０の各機能を複数の装置に分散した構成や、専用の電子回路（例えばDSP）が演算処理装置１０の一部の機能を実現する構成も採用され得る。
【００２６】
表示制御部２４は、各種の画像を表示装置１４に表示させる。具体的には、第１実施形態の表示制御部２４は、合成情報Ｓが指定する合成楽曲の内容を利用者が確認および編集するための図４の編集画像４０を表示装置１４に表示させる。図４に例示される通り、第１実施形態の編集画像４０は、合成楽曲の内容を表象する楽譜画像４２を包含する。
【００２７】
楽譜画像４２は、相互に交差する時間軸（横軸）および音高軸（縦軸）が設定された座標平面に、合成情報Ｓが指定する各音符を表象する音符図像４４を時系列に配置したピアノロール型の画像である。音高軸の方向における音符図像４４の位置は、合成情報Ｓが指定する音高Ｘ1に応じて設定され、時間軸の方向における音符図像４４の位置および表示長は、合成情報Ｓが指定する発音期間Ｘ2に応じて設定される。各音符図像４４には、合成情報Ｓが指定する発音内容Ｘ3の音声符号ＹAと音素記号ＹBとが付加される。なお、音声符号ＹAと音素記号ＹBとが表示される位置は図４の例示（音符図像４４の内側）に限定されない。
【００２８】
図１の指示受付部２２は、入力装置１６に対する操作に応じた利用者からの指示を受付ける。例えば利用者は、編集画像４０を確認しながら入力装置１６を適宜に操作することで合成情報Ｓの編集を音声合成装置１００に指示することが可能である。指示受付部２２は、合成情報Ｓの編集指示を利用者から受付ける。
【００２９】
指標算定部２６は、合成情報Ｓが指定する発音内容Ｘ3に対応する音素について音声変化指標Ａを算定する。音声変化指標Ａは、音声変化の発生しやすさの指標である。第１実施形態では、音声変化が発生しやすい音素対の音声変化指標Ａほど大きい数値に設定される。第１実施形態の指標算定部２６は、発音内容Ｘ3で指定される複数の音素の時系列のうち、参照情報Ｒに登録された何れかの変換前パターンＱAに合致する音素対毎に音声変化指標Ａを算定する。
【００３０】
前述の通り、参照情報Ｒが指定する基礎指標Ｂは、変換前パターンＱAから変換後パターンＱBへの音声変化の発生しやすさの指標である。そこで、第１実施形態の指標算定部２６は、合成情報Ｓが指定する合成対象音声の複数の音素の時系列のうち変換前パターンＱAに合致する音素対の音声変化指標Ａを、参照情報Ｒのうち当該変換前パターンＱAに対応した基礎指標Ｂに応じて算定する。具体的には、基礎指標Ｂが大きい（音素対に音声変化が発生しやすい）ほど音声変化指標Ａが大きい数値となるように、指標算定部２６は、基礎指標Ｂに応じて音声変化指標Ａを算定する。
【００３１】
複数の音素が連続的に素早く発音された場合（各音素の継続長が短い場合）には当該音素について音声変化が発生しやすいという概略的な傾向がある。以上の傾向を考慮して、第１実施形態の指標算定部２６は、合成情報Ｓが指定する合成対象音声の各音素対の音声変化指標Ａを、当該音素対に対応する音符について合成情報Ｓが指定する発音期間Ｘ2の継続長Ｔ2に応じて算定する。具体的には、指標算定部２６は、変換前パターンＱAに合致する音素対の２個の音素のうち前方の音素（すなわち脱落対象となる音素）が割当てられた音符の継続長Ｔ2に応じて音声変化指標Ａを算定する。例えば、継続長Ｔ2が時間的に短い（継続長Ｔ2の数値が大きい）ほど音声変化指標Ａは大きい数値に設定される。
【００３２】
また、音声の音高が高いほど音声変化が発生しやすいという概略的な傾向がある。以上の傾向を考慮して、第１実施形態の指標算定部２６は、合成情報Ｓが指定する合成対象音声の各音素対の音声変化指標Ａを、当該音素対に対応する音符について合成情報Ｓが指定する音高Ｘ1に応じて算定する。具体的には、指標算定部２６は、変換前パターンＱAに合致する音素対の２個の音素のうち前方の音素が割当てられた音符の音高Ｘ1に応じて音声変化指標Ａを算定する。例えば、音高Ｘ1が高いほど音声変化指標Ａは大きい数値に設定される。
【００３３】
具体的には、第１実施形態の指標算定部２６は、基礎指標Ｂと継続長Ｔ2と音高Ｘ1とを適用した以下の数式(1)の演算で音声変化指標Ａを算定する。
Ａ＝Ｂ＋(Ｔ2×０.２)＋(Ｘ1×０.１)  ……(1)
すなわち、基礎指標Ｂと継続長Ｔ2と音高Ｘ1との加重和が音声変化指標Ａとして算定される。基礎指標Ｂの加重値は、継続長Ｔ2および音高Ｘ1の加重値を上回る。すなわち、基礎指標Ｂは、継続長Ｔ2や音高Ｘ1と比較して優先的に音声変化指標Ａに反映される。
【００３４】
図１の情報管理部３２は、記憶装置１２に記憶された合成情報Ｓを管理する。例えば情報管理部３２は、指示受付部２２が利用者から受付けた編集指示に応じて合成情報Ｓを更新する。また、第１実施形態の情報管理部３２は、指標算定部２６が算定した音声変化指標Ａに応じて合成情報Ｓに音声変化の発生を設定する。具体的には、情報管理部３２は、合成対象音声の複数の音素の時系列のうち変換前パターンＱAに合致する音素対の音声変化指標Ａが所定の閾値ＴHを上回る場合に、当該音素対を、参照情報Ｒのうち当該変換前パターンＱAに対応する変換後パターンＱBの音素対に変更する。例えば図３の例示において、合成対象音声に包含される音素対[t-dh]の音声変化指標Ａが閾値ＴHを上回る場合、当該音素対[t-dh]は、変換後パターンＱBの音素対[Sil-dh]に変更される。すなわち、音素[t]が無音の音素[Sil]に変換されることで音素の脱落（音声変化）が再現される。
【００３５】
図１の音声合成部３４は、記憶装置１２に記憶された音声素片群Ｌと合成情報Ｓとを利用して音声信号Ｖを生成する。具体的には、音声合成部３４は、合成情報Ｓが指定する音符毎の発音内容Ｘ3（音声符号ＹAおよび音素記号ＹB）に応じた音声素片を音声素片群Ｌから順次に選択し、各音声素片を、合成情報Ｓが指定する音高Ｘ1および発音期間Ｘ2に調整したうえで相互に連結することで音声信号Ｖを生成する。音声合成部３４が生成した音声信号Ｖが放音装置１８に供給されることで合成楽曲の歌唱音声が再生される。
【００３６】
図５は、第１実施形態の音声合成装置１００の概略的な動作のフローチャートである。入力装置１６に対する利用者からの指示を契機として図５の処理が開始される。図５の処理を開始すると、表示制御部２４は、記憶装置１２に記憶された合成情報Ｓに応じた図４の編集画像４０を表示装置１４に表示させる（ＳA1）。そして、指示受付部２２は、利用者から編集指示を受付けたか否かを判定する（ＳA2）。指示受付部２２が編集指示を受付けた場合（ＳA2：YES）、編集指示の内容に応じた編集処理が実行される（ＳA3）。編集処理は、表示制御部２４による編集画像４０の更新と情報管理部３２による合成情報Ｓの更新とを包含する。他方、指示受付部２２が編集指示を受付けない場合（ＳA2：NO）には編集処理は実行されない。
【００３７】
以上の処理が完了すると、指示受付部２２は、音声合成（音声信号Ｖの生成）の指示を利用者から受付けたか否かを判定する（ＳA4）。音声合成の指示を指示受付部２２が受付けた場合（ＳA4：YES）、音声合成部３４は、音声素片群Ｌと合成情報Ｓとを適用した音声合成処理で音声信号Ｖを生成する（ＳA5）。他方、音声合成が指示されない場合（ＳA4：NO）には音声合成処理は実行されない。また、指示受付部２２は、処理終了の指示を利用者から受付けたか否かを判定する（ＳA6）。処理終了が指示されない場合（ＳA6：NO）には、処理がステップＳA1に遷移して以降の処理が反復され、処理終了が指示された場合（ＳA6：YES）には図５の処理が終了する。
【００３８】
図６は、編集処理（ＳA3）の具体的な内容のフローチャートである。編集処理を開始すると、指示受付部２２は、楽譜画像４２の音符図像４４に対する編集指示を利用者から受付けたか否かを判定する（ＳB1）。音符図像４４に対する編集指示を受付けた場合（ＳB1：YES）、表示制御部２４による編集画像４０の更新と情報管理部３２による合成情報Ｓの更新とが編集指示の内容に応じて実行される（ＳB2）。例えば、楽譜画像４２に対する音符図像４４の追加が指示された場合、表示制御部２４は、楽譜画像４２のうち利用者から指示された位置に音符図像４４を追加し、情報管理部３２は、利用者から指示された音符の情報（Ｘ1〜Ｘ3）を合成情報Ｓに追加する。また、既存の音符図像４４の移動が指示された場合、表示制御部２４は、音符図像４４の位置を利用者からの指示に応じて変更し、情報管理部３２は、編集対象の音符の音高Ｘ1や発音期間Ｘ2（開始時刻Ｔ1）を利用者からの指示に応じて変更する。音符図像４４の時間軸上の表示長の変更が指示された場合、表示制御部２４は、音符図像４４の表示長を利用者からの指示に応じて変更し、情報管理部３２は、編集対象の音符の発音期間Ｘ2（継続長Ｔ2）を利用者からの指示に応じて変更する。また、各音符の音声符号ＹAの変更が指示された場合、表示制御部２４は、合成情報Ｓのうち編集対象の音符の音声符号ＹAを利用者からの指示に応じて変更するとともに音素記号ＹBを変更後の音声符号ＹAに応じて更新し、表示制御部２４は、変更後の発音内容Ｘ3に対応する音声符号ＹAと音素記号ＹBとを音符図像４４の近傍に配置する。
【００３９】
また、利用者は、入力装置１６を適宜に操作することで、音声変化の付与を指示することが可能である。音声変化の付与の指示を指示受付部２２が利用者から受付けた場合（ＳB3：YES）、音声変化指標Ａに応じた音声変化を合成情報Ｓに設定する図７の音声変化設定処理が実行される（ＳB4）。
【００４０】
音声変化設定処理を開始すると、情報管理部３２は、合成情報Ｓが指定する合成対象音声の複数の音素（各発音内容Ｘ3の音素記号ＹBで指定される音素）の時系列から１個の音素対（以下「選択音素対」という）を選択する（ＳC1）。情報管理部３２は、選択音素対が、参照情報Ｒに登録された複数の変換前パターンＱAの何れかに合致するか否かを判定する（ＳC2）。すなわち、選択音素対が、音声変化を発生させ得る音素対に該当するか否かが判定される。
【００４１】
選択音素対が何れかの変換前パターンＱAに合致する場合（ＳC2：YES）、指標算定部２６は、前掲の数式(1)の演算で選択音素対の音声変化指標Ａを算定する（ＳC3）。音声変化指標Ａの算定には、変換前パターンＱAに対応する基礎指標Ｂと、選択音素対の２個の音素のうち前方の音素に対応する音符の音高Ｘ1および継続長Ｔ2とが適用される。
【００４２】
情報管理部３２は、指標算定部２６が算定した音声変化指標Ａが閾値ＴHを上回るか否かを判定する（ＳC4）。すなわち、選択音素対に音声変化を発生させるか否かが音声変化指標Ａに応じて判定される。音声変化指標Ａが閾値ＴHを上回る場合（ＳC4：YES）、情報管理部３２は、選択音素対について音声変化の発生を合成情報Ｓに設定する（ＳC5）。具体的には、合成情報Ｓのうち選択音素対の各音素の音素記号ＹBを、変換前パターンＱAに対応する変換後パターンＱBが指定する各音素の音素記号ＹBに変換する。
【００４３】
他方、音声変化指標Ａが閾値ＴHを下回る場合（ＳC4：NO）、情報管理部３２は、音声変化の発生を設定するステップＳC5を実行しない。すなわち、選択音素対について音声変化の発生は合成情報Ｓに設定されない。また、選択音素対が何れの変換前パターンＱAにも合致しない場合（ＳC2：NO）、すなわち、選択音素対について音声変化が発生し得ない場合、音声変化指標Ａの算定（ＳC3）や選択音素対の変換（ＳC4，ＳC5）は実行されない。
【００４４】
例えば図８に例示される通り、“out door”および“keep talk”という歌詞に着目する。“out door”に包含される音素対[t-dh]の基礎指標Ｂは80であり、“keep talk”に包含される音素対[p-th]の基礎指標Ｂは20である。音素対[t-dh]内の音素[t]の音符の継続長Ｔ2が240（８分音符）であって音高Ｘ1が50であり、音素対[p-th]内の音素[p]の音符の継続長Ｔ2が60（２分音符）であって音高Ｘ1が50である場合を想定すると、“out door”の音素対[t-dh]の音声変化指標Ａは133（＝80＋(240×0.2)＋(50×0.1)）であり、“keep talk”の音素対[p-th]の音声変化指標Ａは37（＝20＋(60×0.2)＋(50×0.1)）である。したがって、例えば閾値ＴHを110と仮定すると、“out door”の音素対[t-dh]（ＳC4：YES）については、変換後パターンＱBが指定する音素対[Sil-dh]への音声変化が設定される一方、“keep talk”の音素対[p-th]（ＳC4：NO）には音声変化が設定されない。
【００４５】
以上の処理を実行すると、情報管理部３２は、合成対象音声の複数の音素の時系列に包含される全部の音素対についてステップＳC1からステップＳC5の処理を実行したか否かを判定する（ＳC6）。未処理の音素対が存在する場合（ＳC6：NO）、情報管理部３２は、処理をステップＳC1に移行し、現段階の選択音素対の直後の音素対を新規な選択音素対として選択したうえで以降の処理（ＳC2−ＳC6）を実行する。他方、全部の音素対について処理を実行した場合（ＳC6：YES）、表示制御部２４は、表示装置１４に表示された楽譜画像４２を、音声変化の設定後の内容に更新する（ＳC7）。
【００４６】
図９は、音声変化の設定に連動した楽譜画像４２の変化の説明図である。図９では、“out”と“door”とが２個の音符（Ｎ1，Ｎ2）に指定された場合が想定されている。図９の部分(A)は、音声変化の設定前の状態である。具体的には、音声符号“out”と音素記号[aU t]とが音符Ｎ1の音符図像４４とともに表示され、音声符号“door”と音素記号[dh O@]とが音符Ｎ2の音符図像４４とともに表示される。音声変化の付与が利用者から指示され（ＳB3：YES）、“out door”の音素対[t-dh]の音声変化指標Ａが前掲の例示のように閾値ＴHを上回ると（ＳC4：YES）、図９の部分(B)に例示される通り、音符Ｎ1の“out”の音素記号[aU t]が、音素[t]を無音の音素[Sil]に変換した音素記号[aU Sil]に変更される（ＳC7）。したがって、利用者は、音声変化を視覚的に把握することが可能である。以上に説明した音声変化設定処理の実行後の合成情報Ｓが音声合成部３４による音声合成処理に適用されることで、音声変化（脱落）を再現した音声信号Ｖが生成される。なお、音声変化により変更された音素記号ＹBを強調表示（例えば下線を付加）することも可能である。
【００４７】
図６の編集処理において、利用者は、入力装置１６を適宜に操作することで音声変化の取消を指示することが可能である。音声変化の取消の指示を指示受付部２２が利用者から受付けると（ＳB5：YES）、合成情報Ｓに設定された音声変化の取消が実行される（ＳB6）。具体的には、情報管理部３２は、合成情報Ｓの発音内容Ｘ3が指定する各音素の音素記号ＹBを、音声符号ＹAに対応する初期的な内容（すなわち音声変化が付与されていない音素記号ＹB）に変換し、表示制御部２４は、表示装置１４に表示された編集画像４０を、音声変化の取消後の合成情報Ｓに対応した内容（すなわち各音符の音素記号ＹBが初期化された内容）に更新する。音声変化の取消が指示されない場合（ＳB5：NO）に編集処理は終了する。
【００４８】
以上に説明した通り、第１実施形態では、合成情報Ｓが指定する合成対象音声の音素対について、音声変化の発生しやすさを示す音声変化指標Ａが算定され、当該音素対の音声変化の有無が音声変化指標Ａに応じて制御される。したがって、各音素が所定の条件に該当するか否かのみに応じて音声変化の有無が一律に決定される特許文献１の技術と比較すると、実際の発音の傾向に合致した自然な音声変化を実現することが可能である。
【００４９】
例えば第１実施形態では、音素対毎に個別に設定された基礎指標Ｂに応じて音声変化指標Ａが算定されるから、音声変化の発生の可能性が音素対毎に相違する（音声変化が発生しやすい音素と発生しにくい音素とが存在する）という現実の発音の傾向に合致した自然な音声変化を実現することが可能である。また、音声単位（音符）の継続長Ｔ2に応じて音声変化指標Ａが算定されるから、複数の音素が連続的に素早く発音された場合に音声変化が発生しやすいという現実の発音の傾向を再現することが可能である。音声単位の音高Ｘ1に応じて音声変化指標Ａが算定されるから、音声の音高が高いほど音声変化が発生しやすいという傾向も再現される。
【００５０】
＜第２実施形態＞
本発明の第２実施形態を以下に説明する。第１実施形態では、音声変化指標Ａと比較される閾値ＴHを所定値に固定した。他方、第２実施形態では、閾値ＴHが可変に制御される。なお、以下に例示する各形態において作用や機能が第１実施形態と同様である要素については、第１実施形態の説明で参照した符号を流用して各々の詳細な説明を適宜に省略する。
【００５１】
図１０は、第２実施形態における編集画像４０の模式図である。図１０に例示される通り、第２実施形態の編集画像４０は、第１実施形態と同様の楽譜画像４２と、利用者からの指示を受付けるための操作画像４６とを含んで構成される。図１０では、利用者が操作可能な操作子（スライダ）の画像が操作画像４６として例示されている。利用者は、入力装置１６を利用して操作画像４６を適宜に操作することで、任意の閾値ＴHを指示することが可能である。指示受付部２２は、利用者による閾値ＴHの指示を受付ける。すなわち、第２実施形態の閾値ＴHは、利用者からの指示に応じて可変に設定される。音声変化設定処理（ＳB4）のステップＳC4において、情報管理部３２は、指標算定部２６が算定した音声変化指標Ａと、指示受付部２２が利用者から受付けた指示に応じた閾値ＴHとの大小に応じて、選択音素対に音声変化を発生させるか否かを判定する。
【００５２】
以上の説明から理解される通り、利用者からの指示に応じた閾値ＴHが大きいほど合成対象音声に音声変化が発生しにくい状態となる。具体的には、前掲の図８の例示に着目すると、例えば閾値ＴHが150に設定された状態では、音素対[t-dh]および音素対[p-th]の何れについても音声変化は付与されないが、閾値ＴHが110に設定された状態では音素対[t-dh]に音素変化が付与され、閾値ＴHが30に設定された状態では音素対[t-dh]および音素対[p-th]の双方に音素変化が付与される。
【００５３】
第２実施形態においても第１実施形態と同様の効果が実現される。また、第２実施形態では、音声変化の有無の判定に適用される閾値ＴHが可変に制御されるから、音声信号Ｖにおける音声変化の頻度を多様に制御することが可能である。第２実施形態では特に、利用者からの指示に応じて閾値ＴHが設定されるから、利用者の意図や嗜好に適合した音声変化を実現できるという利点がある。
【００５４】
＜第３実施形態＞
第１実施形態では、音声合成処理の実行前に合成情報Ｓに対して音声変化を設定した。他方、第３実施形態では、音声合成処理のなかで音声変化を音声信号Ｖに反映させる。すなわち、第３実施形態では合成情報Ｓに音声変化は反映されない。したがって、第３実施形態の編集処理（図６）では音声変化の設定や取消の処理（ＳB3−ＳB6）が省略される。
【００５５】
図１１は、第３実施形態の音声合成部３４が音声信号Ｖの生成のために実行する音声合成処理（ＳA5）のフローチャートである。音声合成処理を開始すると、音声合成部３４は、合成情報Ｓが指定する発音内容Ｘ3に対応する音素対を合成楽曲の先頭から順番に選択音素対として選択する（ＳD1）。そして、音声合成部３４は、選択音素対が、参照情報Ｒに登録された複数の変換前パターンＱAの何れかに合致するか否かを判定する（ＳD2）。
【００５６】
選択音素対が何れかの変換前パターンＱAに合致する場合（ＳD2：YES）、指標算定部２６は、第１実施形態と同様に、前掲の数式(1)の演算で選択音素対の音声変化指標Ａを算定する（ＳD3）。音声合成部３４は、指標算定部２６が算定した音声変化指標Ａが閾値ＴHを上回るか否かを判定する（ＳD4）。すなわち、第１実施形態と同様に、選択音素対に音声変化を発生させるか否かが音声変化指標Ａに応じて判定される。
【００５７】
音声変化指標Ａが閾値ＴHを下回る場合（ＳD4：NO）、すなわち、選択音素対について音声変化を発生させない場合、音声合成部３４は、合成対象音素から選択した選択音素対に対応する音声素片を音声素片群Ｌから選択する（ＳD5）。他方、音声変化指標Ａが閾値ＴHを上回る場合（ＳD4：YES）、すなわち、選択音素対について音声変化を発生させる場合、音声合成部３４は、選択音素対に代えて、変換後パターンＱBの音素対に対応する音声素片を音声素片群Ｌから選択する（ＳD6）。
【００５８】
例えば選択音素対が“out door”に包含される音素対[t-dh]である場合を想定する。選択音素対の音声変化指標Ａが閾値ＴHを下回る場合、音声合成部３４は、当該音素対[t-dh]に対応する音声素片を音声素片群Ｌから選択する（ＳD5）。他方、音声変化指標Ａが閾値ＴHを上回る場合、音声合成部３４は、当該音素対[t-dh]に対応する変換後パターンＱBの音素対[Sil-dh]（すなわち音素[t]を脱落させた音素対）に対応する音声素片を音声素片群Ｌから選択する（ＳD6）。
【００５９】
音声合成部３４は、ステップＳD5またはステップＳD6で選択した音声素片を利用して音声信号Ｖを生成する（ＳD7）。音声素片を利用した音声信号Ｖの生成には、第１実施形態と同様に公知の技術が任意に採用される。以上の説明から理解される通り、第３実施形態の音声合成部３４は、選択音素対に音声変化を発生させるか否かを音声変化指標Ａに応じて判定し、音声変化を発生させると判定した選択音素対については音声変化を発生させた音声信号Ｖを生成する一方（ＳD6，ＳD7）、音声変化を発生させないと判定した選択音素対については音声変化を発生させない音声信号Ｖを生成する（ＳD5，ＳD7）要素として機能する。
【００６０】
以上に説明した通り、第３実施形態では、合成情報Ｓが指定する音素対について音声変化指標Ａが算定され、音声変化の有無が音声変化指標Ａに応じて制御される。したがって、第１実施形態と同様に、実際の発音の傾向に合致した自然な音声変化を実現できるという利点がある。
【００６１】
＜第４実施形態＞
図１２は、第４実施形態における合成情報Ｓの模式図である。図１２に例示される通り、第４実施形態の合成情報Ｓは、第１実施形態と同様の要素（音高Ｘ1，発音期間Ｘ2，発音内容Ｘ3）に加えて制御情報ＸCを包含する。制御情報ＸCは、合成対象音声の音楽的な表情（表現）を指定する変数である。例えばアクセントやスタッカートや音量が制御情報ＸCで指定される。第４実施形態の指標算定部２６は、基礎指標Ｂと継続長Ｔ2と音高Ｘ1とに加え、合成対象音声の各音素の制御情報ＸCが指定する変数を適用した演算で当該音素の音声変化指標Ａを算定する（ＳC3）。制御情報ＸCは、指示受付部２２が利用者から受付けた指示に応じて設定される。
【００６２】
例えば明瞭な発音を意図した音符（すなわち強調したい音符）について利用者はアクセントやスタッカートを指示するという傾向がある。以上の傾向を考慮すると、制御情報ＸCでアクセントやスタッカートが指示された音素の音声変化指標Ａが減少する（すなわち音声変化が発生しにくくなる）ように指標算定部２６が音声変化指標Ａを算定する構成が好適である。また、例えば明瞭な発音を意図した音符について利用者は音量を大きい数値に設定するという傾向がある。以上の傾向を考慮すると、制御情報ＸCで指定される音量が大きいほど音声変化指標Ａが減少するように指標算定部２６が音声変化指標Ａを算定する構成が好適である。音声変化指標Ａを利用した音声変化の付与は第１実施形態と同様である。
【００６３】
第４実施形態においても第１実施形態と同様の効果が実現される。また、第４実施形態においては、合成対象音声の音楽的な表情を表す制御情報ＸCに応じて音声変化指標Ａが算定されるから、合成対象音声の音楽的な表情に適合した自然な音声変化を付与することが可能である。なお、以上の例示では第１実施形態を基礎とした構成を例示したが、音声変化指標Ａに制御情報ＸCを反映させる第４実施形態の構成は、第２実施形態や第３実施形態にも同様に適用され得る。
【００６４】
＜変形例＞
前述の各形態は多様に変形され得る。具体的な変形の態様を以下に例示する。以下の例示から任意に選択された２以上の態様を適宜に併合することも可能である。
【００６５】
（１）前述の各形態では、基礎指標Ｂと継続長Ｔ2と音高Ｘ2とに応じて音声変化指標Ａを算定したが、音声変化指標Ａの算定に適用される変数は、以上の例示に限定されない。例えば、合成楽曲のテンポに応じて音声変化指標Ａを算定することも可能である。前述の通り、複数の音素が素早く発音された場合には音声変化が発生しやすいという傾向がある。したがって、合成楽曲のテンポが速いほど音声変化指標Ａが大きい数値（音声変化が発生しやすい数値）に設定する構成が好適である。合成楽曲のテンポは、例えば入力装置１６に対する操作に応じて利用者から可変に指示される。
【００６６】
例えば、基礎指標Ｂと継続長Ｔ2と音高Ｘ2とから選択された１種類または２種類の変数を音声変化指標Ａに適用することも可能である。また、第４実施形態の制御情報ＸCのみを音声変化指標Ａの算定に適用する構成や、基礎指標Ｂと継続長Ｔ2と音高Ｘ2とから選択された１種類または２種類の変数と制御情報ＸCとの組合せを音声変化指標Ａの算定に適用する構成も採用され得る。また、各変数を適用した音声変化指標Ａの算定方法も以上の例示（数式(1)）には限定されない。
【００６７】
（２）前述の各形態では、音声変化が発生しやすいほど音声変化指標Ａが増加する場合（音声変化が発生しにくいほど音声変化指標Ａが減少する場合）を例示したが、音声変化の発生の可能性の高低と音声変化指標Ａの大小との関係は適宜に変更される。すなわち、音声変化が発生しやすいほど音声変化指標Ａが減少する構成（音声変化が発生しにくいほど音声変化指標Ａが増加する構成）も採用され得る。
【００６８】
（３）第１実施形態では、合成情報Ｓのうち音声変化（脱落）を発生させる音素の音素記号ＹBを音声変化後の音素記号ＹBに置換したが、音声変化の発生を合成情報Ｓに設定するための構成は任意である。例えば、音声変化を発生させる音素の音素記号ＹBに、音声変化（脱落）を意味する補助情報（例えば無声化を意味する記号“_0”）を付加する構成も採用される。また、音声変化のうち脱落のみに着目すれば、音声変化を発生させる音素の音素記号ＹBを削除することも可能である。
【００６９】
（４）第３実施形態では、音声変化を発生させる音素対について変換後パターンＱBに対応する音声素片を選択したが、音声変化の有無に応じた音声信号Ｖを生成する方法は以上の例示に限定されない。例えば、音素対のうち音声変化（脱落）を発生させる音素の音量をゼロに設定することで音素の脱落を再現することも可能である。
【００７０】
（５）前述の各形態では、音声変化を発生させる音素に対応する音符の継続長Ｔ2を音声変化指標Ａの算定に適用したが、発音期間Ｘ2（継続長Ｔ2）のうち当該音素が発音される継続長（時間長）を音声変化指標Ａの算定に適用することも可能である。
【００７１】
（６）第１実施形態では、合成情報Ｓの管理（表示制御部２４および情報管理部３２）と音声信号Ｖの生成（音声合成部３４）との双方を実行する音声合成装置１００を例示したが、合成情報Ｓを管理する合成情報管理装置としても本発明は特定され得る。合成情報管理装置では音声合成部３４の有無は不問である。また、携帯電話機等の端末装置と通信するサーバ装置で音声合成装置１００や合成情報管理装置を実現することも可能である。指示受付部２２は、利用者が端末装置に付与した指示を端末装置から通信網を介して受付け、表示制御部２４は、例えば編集画像４０の画像データを端末装置に送信することで編集画像４０を端末装置の表示装置に表示させる。また、音声合成部３４は、音声合成処理で生成した音声信号Ｖを端末装置に送信する。
【００７２】
（７）前述の各形態では、音声素片群Ｌと合成情報Ｓとを記憶する記憶装置１２を音声合成装置１００に搭載したが、音声合成装置１００とは独立した外部装置（例えばサーバ装置）が音声素片群Ｌや合成情報Ｓを記憶する構成も採用される。音声合成装置１００は、例えば通信網を介して音声素片群Ｌの音声素片や合成情報Ｓを取得して編集処理や音声合成処理を実行する。以上の説明から理解される通り、音声素片群Ｌや合成情報Ｓを記憶する要素は音声合成装置１００の必須の要素ではない。
【００７３】
（８）前述の各形態では、合成楽曲の歌唱音声の音声信号Ｖの生成を例示したが、歌唱音声以外の音声（例えば会話音等）の音声信号Ｖの生成にも本発明を適用することが可能である。したがって、歌唱音声の合成に好適な音高Ｘ1は合成情報Ｓから省略され得る。以上の説明から理解される通り、以上の各態様に例示した合成情報Ｓは、合成対象となる音声の発音内容を指定する情報として包括的に表現される。また、音声合成処理の方式は任意である。具体的には、前述の各形態で例示した素片接続型の音声合成処理のほか、HMM（Hidden Markov Model）で推定された音高に対して発音内容Ｘ3（音素）に応じたフィルタ処理を実行する統計モデル型の音声合成処理で音声信号Ｖを生成することも可能である。
【００７４】
（９）前述の各形態では、英語の音声の合成を例示したが、合成対象となる音声の言語は任意である。例えば、日本語、スペイン語、中国語、韓国語等の任意の言語の音声を生成する場合にも本発明を適用することが可能である。
【符号の説明】
【００７５】
１００……音声合成装置、１０……演算処理装置、１２……記憶装置、１４……表示装置、１６……入力装置、１８……放音装置、２２……指示受付部、２４……表示制御部、２６……指標算定部、３２……情報管理部、３４……音声合成部。
【図１】
2015079065.tif 000003
【図２】
2015079065.tif 000004
【図３】
2015079065.tif 000005
【図４】
2015079065.tif 000006
【図５】
2015079065.tif 000007
【図６】
2015079065.tif 000008
【図７】
2015079065.tif 000009
【図８】
2015079065.tif 000010
【図９】
2015079065.tif 000011
【図１０】
2015079065.tif 000012
【図１１】
2015079065.tif 000013
【図１２】
2015079065.tif 000014